(57)【要約】【課題】照明装置の照射方向から投影レンズ2を見た時に均一に面発光しているように見える部分と、その部分とは異なる光り方をする部分とを形成する。【解決手段】光源1と投影レンズ2と配光制御部材3とを具備し、投影レンズ2の焦点F2上あるいはその近傍に光源1を配置した照明装置において、配光制御部材3を光源1と投影レンズ2との間に配置し、光源1からの光Laがほぼ素通しせしめられる素通し部3aと、光源1からの光Lbが配光制御される配光制御部3bとを配光制御部材3に形成した。【選択図】図６
2009193738.tif 000002
【特許請求の範囲】
【請求項１】
光源（１）と投影レンズ（２）と配光制御部材（３）とを具備し、投影レンズ（２）の焦点（Ｆ２）上あるいはその近傍に光源（１）を配置した照明装置において、
配光制御部材（３）を光源（１）と投影レンズ（２）との間に配置し、
光源（１）からの光がほぼ素通しせしめられる素通し部（３ａ）と、光源（１）からの光が配光制御される配光制御部（３ｂ）とを配光制御部材（３）に形成したことを特徴とする照明装置。
【請求項２】
光源（１）と、光源（１）からの光によって発光しているように見える擬似発光部材（４）と、投影レンズ（２）と、配光制御部材（３）とを具備し、
投影レンズ（２）の焦点（Ｆ２）上あるいはその近傍に擬似発光部材（４）を配置した照明装置において、
配光制御部材（３）を擬似発光部材（４）と投影レンズ（２）との間に配置し、
擬似発光部材（４）からの光がほぼ素通しせしめられる素通し部（３ａ）と、擬似発光部材（４）からの光が配光制御される配光制御部（３ｂ）とを配光制御部材（３）に形成したことを特徴とする照明装置。
【請求項３】
配光制御部（３ｂ）を凸レンズ部によって構成し、
凸レンズ部の焦点（Ｆ３ｂ）を投影レンズ（２）の焦点（Ｆ２）よりも前側に配置したことを特徴とする請求項１又は２に記載の照明装置。
【請求項４】
配光制御部（３ｂ）をレンズカット部によって構成したことを特徴とする請求項１又は２に記載の照明装置。
【発明の詳細な説明】
【技術分野】
【０００１】
本発明は、光源と投影レンズと配光制御部材とを具備し、投影レンズの焦点上あるいはその近傍に光源を配置した照明装置に関し、特には、照明装置の照射方向から投影レンズを見た時に均一に面発光しているように見える部分と、その部分とは異なる光り方をする部分とを形成することができる照明装置に関する。
【０００２】
詳細には、本発明は、配光制御部材が投影レンズを隔てて光源の反対側に配置されている場合よりも照明装置の前後方向（照射方向）寸法を小型化しつつ、照明装置の照射方向から投影レンズを見た時に均一に面発光しているように見える部分と、その部分とは異なる光り方をする部分とを形成することができる照明装置に関する。
【背景技術】
【０００３】
従来から、光源と投影レンズと配光制御部材とを具備し、投影レンズの焦点の近傍に光源を配置した照明装置（灯具）が知られている。この種の照明装置（灯具）の例としては、例えば特開２００６−１１４３４７号公報の図１２に記載された照明装置（灯具）が知られている。
【０００４】
特開２００６−１１４３４７号公報の図１２に記載された照明装置（灯具）では、点状の光源から放射された光が投影レンズによって平行光にされ、次いで、その平行光が、拡散用レンズカットプリズムを有する配光制御部材を透過せしめられ、配光制御部材の拡散用レンズカットプリズムによって適宜拡散せしめられた光が照明装置（灯具）の照射方向に照射される。
【０００５】
ところで、特開２００６−１１４３４７号公報の図１２に記載された照明装置（灯具）では、拡散用レンズカットプリズムが、配光制御部材のうち、平行光が透過せしめられる部分の全面にわたって形成されている。
【０００６】
そのため、特開２００６−１１４３４７号公報の図１２に記載された照明装置（灯具）では、照明装置（灯具）の照射方向から配光制御部材を見た時に、配光制御部材のうち、平行光が透過せしめられる部分の全面の光り方がほぼ同様になってしまう。
【０００７】
また、特開２００６−１１４３４７号公報の図１２に記載された照明装置（灯具）では、配光制御部材が投影レンズを隔てて光源の反対側に配置されている。そのため、特開２００６−１１４３４７号公報の図１２に記載された照明装置（灯具）では、配光制御部材が設けられていない場合よりも、照明装置（灯具）の前後方向（照射方向）寸法が大型化してしまう。
【０００８】
【特許文献１】特開２００６−１１４３４７号公報の図１２
【発明の開示】
【発明が解決しようとする課題】
【０００９】
前記問題点に鑑み、本発明は、照明装置の照射方向から投影レンズを見た時に均一に面発光しているように見える部分と、その部分とは異なる光り方をする部分とを形成することができる照明装置を提供することを目的とする。
【００１０】
詳細には、本発明は、配光制御部材が投影レンズを隔てて光源の反対側に配置されている場合よりも照明装置の前後方向（照射方向）寸法を小型化しつつ、照明装置の照射方向から投影レンズを見た時に均一に面発光しているように見える部分と、その部分とは異なる光り方をする部分とを形成することができる照明装置を提供することを目的とする。
【課題を解決するための手段】
【００１１】
請求項１に記載の発明によれば、光源（１）と投影レンズ（２）と配光制御部材（３）とを具備し、投影レンズ（２）の焦点（Ｆ２）上あるいはその近傍に光源（１）を配置した照明装置において、配光制御部材（３）を光源（１）と投影レンズ（２）との間に配置し、光源（１）からの光がほぼ素通しせしめられる素通し部（３ａ）と、光源（１）からの光が配光制御される配光制御部（３ｂ）とを配光制御部材（３）に形成したことを特徴とする照明装置が提供される。
【００１２】
請求項２に記載の発明によれば、光源（１）と、光源（１）からの光によって発光しているように見える擬似発光部材（４）と、投影レンズ（２）と、配光制御部材（３）とを具備し、投影レンズ（２）の焦点（Ｆ２）上あるいはその近傍に擬似発光部材（４）を配置した照明装置において、配光制御部材（３）を擬似発光部材（４）と投影レンズ（２）との間に配置し、擬似発光部材（４）からの光がほぼ素通しせしめられる素通し部（３ａ）と、擬似発光部材（４）からの光が配光制御される配光制御部（３ｂ）とを配光制御部材（３）に形成したことを特徴とする照明装置が提供される。
【００１３】
請求項３に記載の発明によれば、配光制御部（３ｂ）を凸レンズ部によって構成し、凸レンズ部の焦点（Ｆ３ｂ）を投影レンズ（２）の焦点（Ｆ２）よりも前側に配置したことを特徴とする請求項１又は２に記載の照明装置が提供される。
【００１４】
請求項４に記載の発明によれば、配光制御部（３ｂ）をレンズカット部によって構成したことを特徴とする請求項１又は２に記載の照明装置が提供される。
【発明の効果】
【００１５】
請求項１に記載の照明装置では、投影レンズ（２）の焦点（Ｆ２）上あるいはその近傍に光源（１）が配置されている。また、配光制御部材（３）が光源（１）と投影レンズ（２）との間に配置されている。更に、光源（１）からの光がほぼ素通しせしめられる素通し部（３ａ）と、光源（１）からの光が配光制御される配光制御部（３ｂ）とが、配光制御部材（３）に形成されている。
【００１６】
そのため、請求項１に記載の照明装置では、照明装置の照射方向から投影レンズ（２）を見た時に、配光制御部材（３）の素通し部（３ａ）を透過した光が、均一に面発光しているように見える。一方、配光制御部材（３）の配光制御部（３ｂ）を透過した光は、配光制御部材（３）の素通し部（３ａ）を透過した光とは異なる光り方をする。
【００１７】
つまり、請求項１に記載の照明装置によれば、照明装置の照射方向から投影レンズ（２）を見た時に均一に面発光しているように見える部分と、その部分とは異なる光り方をする部分とを形成することができる。
【００１８】
詳細には、請求項１に記載の照明装置によれば、配光制御部材（３）が投影レンズ（２）を隔てて光源（１）の反対側に配置されている特開２００６−１１４３４７号公報の図１２に記載された照明装置よりも照明装置の前後方向（照射方向）寸法を小型化しつつ、照明装置の照射方向から投影レンズ（２）を見た時に均一に面発光しているように見える部分と、その部分とは異なる光り方をする部分とを形成することができる。
【００１９】
請求項２に記載の照明装置では、光源（１）からの光によって発光しているように見える擬似発光部材（４）が、投影レンズ（２）の焦点（Ｆ２）上あるいはその近傍に配置されている。また、配光制御部材（３）が擬似発光部材（４）と投影レンズ（２）との間に配置されている。更に、擬似発光部材（４）からの光がほぼ素通しせしめられる素通し部（３ａ）と、擬似発光部材（４）からの光が配光制御される配光制御部（３ｂ）とが、配光制御部材（３）に形成されている。
【００２０】
そのため、請求項２に記載の照明装置では、照明装置の照射方向から投影レンズ（２）を見た時に、配光制御部材（３）の素通し部（３ａ）を透過した光が、均一に面発光しているように見える。一方、配光制御部材（３）の配光制御部（３ｂ）を透過した光は、配光制御部材（３）の素通し部（３ａ）を透過した光とは異なる光り方をする。
【００２１】
つまり、請求項２に記載の照明装置によれば、照明装置の照射方向から投影レンズ（２）を見た時に均一に面発光しているように見える部分と、その部分とは異なる光り方をする部分とを形成することができる。
【００２２】
詳細には、請求項２に記載の照明装置によれば、配光制御部材（３）が投影レンズ（２）を隔てて光源（１）の反対側に配置されている特開２００６−１１４３４７号公報の図１２に記載された照明装置よりも照明装置の前後方向（照射方向）寸法を小型化しつつ、照明装置の照射方向から投影レンズ（２）を見た時に均一に面発光しているように見える部分と、その部分とは異なる光り方をする部分とを形成することができる。
【００２３】
請求項３に記載の照明装置では、配光制御部（３ｂ）が凸レンズ部によって構成されている。更に、凸レンズ部の焦点（Ｆ３ｂ）が、投影レンズ（２）の焦点（Ｆ２）よりも前側に配置されている。
【００２４】
そのため、請求項３に記載の照明装置では、照明装置の照射方向から投影レンズ（２）を見た時に、配光制御部材（３）の素通し部（３ａ）の領域においては照明装置の後側の位置が発光しているように見え、配光制御部材（３）の配光制御部（３ｂ）の領域においては照明装置の前側の位置が発光しているように見える。
【００２５】
つまり、請求項３に記載の照明装置によれば、照明装置の照射方向から投影レンズ（２）を見た時に、配光制御部材（３）の素通し部（３ａ）の領域においては照明装置の後側の位置が発光しているように見せることができ、配光制御部材（３）の配光制御部（３ｂ）の領域においては照明装置の前側の位置が発光しているように見せることができる。
【００２６】
すなわち、請求項３に記載の照明装置によれば、照明装置の照射方向から投影レンズ（２）を見た時に、配光制御部材（３）の全面が均一に構成されている特開２００６−１１４３４７号公報の図１２に記載された照明装置よりも、照明装置の奥行き感を感じさせることができる。
【００２７】
請求項４に記載の照明装置では、配光制御部（３ｂ）がレンズカット部によって構成されている。つまり、請求項４に記載の照明装置では、焦点を有さないレンズカット部によって配光制御部（３ｂ）が構成されている。
【００２８】
そのため、請求項４に記載の照明装置によれば、配光制御部（３ｂ）に焦点が設けられている場合よりも、照明装置の照射方向から投影レンズ（２）を見た時における配光制御部材（３）の素通し部（３ａ）を透過した光の光り方と、配光制御部材（３）の配光制御部（３ｂ）を透過した光の光り方との違いを大きくすることができる。
【発明を実施するための最良の形態】
【００２９】
以下、本発明の照明装置の第１の実施形態について説明する。図１は第１の実施形態の照明装置１００の正面図、図２は第１の実施形態の照明装置１００を左前側かつ下側から見た斜視図である。第１の実施形態の照明装置１００では、図１および図２に示すように、例えば１３個のランプ部１０が設けられている。
【００３０】
図３は図１および図２に示した１３個のランプ部１０のうちの１個のランプ部１０の断面図である。詳細には、図３は図１のＡ−Ａ線に沿った断面図である。第１の実施形態の照明装置１００では、１３個のランプ部１０がほぼ同様に構成されている。図４は図３に示した投影レンズ２の斜視図、図５は図３に示した配光制御部材３の斜視図である。
【００３１】
第１の実施形態の照明装置１００では、図３に示すように、例えばＬＥＤのような光源１が、投影レンズ２の焦点Ｆ２上あるいはその近傍に配置されている。第１の実施形態の照明装置１００では、ＬＥＤが光源１として用いられているが、第２の実施形態の照明装置１００では、ＬＥＤ以外のものを光源１として用いることも可能である。
【００３２】
また、第１の実施形態の照明装置１００では、図３に示すように、配光制御部材３が光源１と投影レンズ２との間に配置されている。更に、光源１からの光がほぼ素通しせしめられる素通し部３ａと、光源１からの光が配光制御される配光制御部３ｂとが、配光制御部材３に形成されている。
【００３３】
詳細には、第１の実施形態の照明装置１００では、図３および図５に示すように、素通し部３ａの後面を前側（図３の上側）にオフセットさせることにより、素通し部３ｂの前面が構成されている。第１の実施形態の照明装置１００では、素通し部３ａの前面および後面が平面によって構成されているが、第３の実施形態の照明装置１００では、代わりに、素通し部３ａの前面および後面を曲面によって構成することも可能である。
【００３４】
また、第１の実施形態の照明装置１００では、図３および図５に示すように、配光制御部３ｂの前面が、配光制御部３ｂの後面をオフセットさせたものよりも前側（図３の上側）に突出せしめられ、配光制御部３ｂが凸レンズ部によって構成されている。第１の実施形態の照明装置１００では、配光制御部３ｂの前面が配光制御部３ｂの後面をオフセットさせたものよりも前側（図３の上側）に突出せしめられているが、第４の実施形態の照明装置１００では、代わりに、配光制御部３ｂの前面をオフセットさせたものよりも配光制御部３ｂの後面を後側（図３の下側）に突出させ、配光制御部３ｂを凸レンズ部によって構成することも可能である。
【００３５】
図６は図３に示す断面内における光路を示した図である。詳細には、図６（Ａ）は光源１から放射された光のうち、配光制御部材３ｂの素通し部３ａを透過せしめられる光Ｌａの光路を示した図である。図６（Ｂ）は光源１から放射された光のうち、配光制御部材３ｂの配光制御部３ｂを透過せしめられる光Ｌｂの光路を示した図である。
【００３６】
第１の実施形態の照明装置１００では、図３および図６（Ａ）に示すように、投影レンズ２の焦点Ｆ２上あるいはその近傍に配置された光源１から光が放射された光のうち、配光制御部材３の素通し部３ａを素通しせしめられた光Ｌａが、投影レンズ２を透過せしめられ、概略平行な光になって照明装置１００の照射方向（ランプ部１０の照射方向、図６（Ａ）の上側）に照射される。そのため、第１の実施形態の照明装置１００では、照明装置１００の照射方向（ランプ部１０の照射方向、図６（Ａ）の上側）から投影レンズ２を見た時に、配光制御部材３の素通し部３ａを透過せしめられた光Ｌａが、均一に面発光しているように見える。詳細には、投影レンズ２の焦点Ｆ２上あるいはその近傍が光っているように見える。
【００３７】
一方、第１の実施形態の照明装置１００では、図３および図６（Ｂ）に示すように、光源１から放射された光のうち、配光制御部材３の配光制御部３ｂを透過せしめられた光Ｌｂが、投影レンズ２を透過せしめられ、照明装置１００の照射方向（ランプ部１０の照射方向、図６（Ｂ）の上下方向）に対して角度をなす光になって照明装置１００の前側（ランプ部１０の前側、図６（Ｂ）の上側）に照射される。そのため、第１の実施形態の照明装置１００では、照明装置１００の照射方向（ランプ部１０の照射方向、図６（Ｂ）の上側）から投影レンズ２を見た時に、配光制御部材３の配光制御部３ｂを透過せしめられた光Ｌｂが、不均一に多点発光しているように見える。つまり、配光制御部材３の配光制御部３ｂを透過せしめられた光Ｌｂが、配光制御部材３の素通し部３ａを透過せしめられた光Ｌａとは異なる光り方をする。
【００３８】
すなわち、第１の実施形態の照明装置１００によれば、照明装置１００の照射方向（ランプ部１０の照射方向、図６（Ａ）および図６（Ｂ）の上側）から投影レンズ２を見た時に均一に面発光しているように見える部分と、その部分とは異なる光り方をする部分とを形成することができる。
【００３９】
詳細には、第１の実施形態の照明装置１００によれば、配光制御部材３が投影レンズ２を隔てて光源１の反対側に配置されている特開２００６−１１４３４７号公報の図１２に記載された照明装置よりも照明装置１００の前後方向（照射方向）寸法を小型化しつつ、照明装置１００の照射方向（ランプ部１０の照射方向、図６（Ａ）および図６（Ｂ）の上側）から投影レンズ２を見た時に均一に面発光しているように見える部分と、その部分とは異なる光り方をする部分とを形成することができる。
【００４０】
また、第１の実施形態の照明装置１００では、図３に示すように、配光制御部３ｂが凸レンズ部によって構成され、凸レンズ部の焦点Ｆ３ｂが、投影レンズ２の焦点Ｆ２よりも前側（図３の上側）に配置されている。
【００４１】
そのため、第１の実施形態の照明装置１００では、照明装置１００の照射方向（ランプ部１０の照射方向、図６（Ａ）および図６（Ｂ）の上側）から投影レンズ２を見た時に、配光制御部材３の素通し部３ａの領域においては照明装置１００の後側（図６（Ａ）の下側）の位置が発光しているように見え、配光制御部材３の配光制御部３ｂの領域においては照明装置１００の前側（図６（Ｂ）の上側）の位置が発光しているように見える。
【００４２】
つまり、第１の実施形態の照明装置１００によれば、照明装置１００の照射方向（ランプ部１０の照射方向、図６（Ａ）および図６（Ｂ）の上側）から投影レンズ２を見た時に、配光制御部材３の素通し部３ａの領域においては照明装置１００の後側（図６（Ａ）の下側）の位置が発光しているように見せることができ、配光制御部材３の配光制御部３ｂの領域においては照明装置１００の前側（図６（Ｂ）の上側）の位置が発光しているように見せることができる。
【００４３】
すなわち、第１の実施形態の照明装置１００によれば、照明装置１００の照射方向（ランプ部１０の照射方向、図６（Ａ）および図６（Ｂ）の上側）から投影レンズ２を見た時に、配光制御部材３の全面が均一に構成されている特開２００６−１１４３４７号公報の図１２に記載された照明装置よりも、照明装置１００の奥行き感を感じさせることができる。
【００４４】
以下、本発明の照明装置の第５の実施形態について説明する。第５の実施形態の照明装置１００は、後述する点を除き、上述した第１の実施形態の照明装置１００とほぼ同様に構成されている。従って、第５の実施形態の照明装置１００によれば、後述する点を除き、上述した第１の実施形態の照明装置１００とほぼ同様の効果を奏することができる。
【００４５】
図７は第５の実施形態の照明装置１００のランプ部１０の断面図である。第１の実施形態の照明装置１００では、図３に示すように、焦点Ｆ３ｂを有する凸レンズ部によって配光制御部３ｂが構成されているが、第５の実施形態の照明装置では、焦点を有さないレンズカット部によって配光制御部３ｂが構成されている。そのため、第５の実施形態の照明装置１００によれば、配光制御部３ｂに焦点Ｆ３ｂが設けられている第１の実施形態の照明装置１００よりも、照明装置１００の照射方向（ランプ部１０の照射方向、図７の上側）から投影レンズ２を見た時における配光制御部材３の素通し部３ａを透過せしめられた光Ｌａの光り方と、配光制御部材３の配光制御部３ｂを透過せしめられた光Ｌｂの光り方との違いを大きくすることができる。
【００４６】
以下、本発明の照明装置の第６の実施形態について説明する。第６の実施形態の照明装置１００は、後述する点を除き、上述した第１の実施形態の照明装置１００とほぼ同様に構成されている。従って、第６の実施形態の照明装置１００によれば、後述する点を除き、上述した第１の実施形態の照明装置１００とほぼ同様の効果を奏することができる。
【００４７】
図８は第６の実施形態の照明装置１００のランプ部１０の断面図である。第１の実施形態の照明装置１００では、図３に示すように、例えばＬＥＤのような光源１が、投影レンズ２の焦点Ｆ２上あるいはその近傍に配置されているが、第６の実施形態の照明装置１００では、図８に示すように、光源１からの光によって発光しているように見える例えばレンズキャップ等のような擬似発光部材４が、投影レンズ２の焦点Ｆ２上あるいはその近傍に配置されている。
【００４８】
また、第６の実施形態の照明装置１００では、図８に示すように、配光制御部材３が擬似発光部材４と投影レンズ２との間に配置されている。更に、擬似発光部材４からの光がほぼ素通しせしめられる素通し部３ａと、擬似発光部材４からの光が配光制御される配光制御部３ｂとが、配光制御部材３に形成されている。
【００４９】
図９は図８に示す断面内における光路を示した図である。詳細には、図９（Ａ）は擬似発光部材４からの光のうち、配光制御部材３ｂの素通し部３ａを透過せしめられる光Ｌａの光路を示した図である。図９（Ｂ）は擬似発光部材４からの光のうち、配光制御部材３ｂの配光制御部３ｂを透過せしめられる光Ｌｂの光路を示した図である。
【００５０】
第６の実施形態の照明装置１００では、図８および図９（Ａ）に示すように、投影レンズ２の焦点Ｆ２上あるいはその近傍に配置された擬似発光部材４からの光のうち、配光制御部材３の素通し部３ａを素通しせしめられた光Ｌａが、投影レンズ２を透過せしめられ、概略平行な光になって照明装置１００の照射方向（ランプ部１０の照射方向、図９（Ａ）の上側）に照射される。そのため、第６の実施形態の照明装置１００では、照明装置１００の照射方向（ランプ部１０の照射方向、図９（Ａ）の上側）から投影レンズ２を見た時に、配光制御部材３の素通し部３ａを透過せしめられた光Ｌａが、均一に面発光しているように見える。詳細には、投影レンズ２の焦点Ｆ２上あるいはその近傍が光っているように見える。
【００５１】
一方、第６の実施形態の照明装置１００では、図８および図９（Ｂ）に示すように、擬似発光部材４からの光のうち、配光制御部材３の配光制御部３ｂを透過せしめられた光Ｌｂが、投影レンズ２を透過せしめられ、照明装置１００の照射方向（ランプ部１０の照射方向、図９（Ｂ）の上下方向）に対して角度をなす光になって照明装置１００の前側（ランプ部１０の前側、図９（Ｂ）の上側）に照射される。そのため、第６の実施形態の照明装置１００では、照明装置１００の照射方向（ランプ部１０の照射方向、図９（Ｂ）の上側）から投影レンズ２を見た時に、配光制御部材３の配光制御部３ｂを透過せしめられた光Ｌｂが、不均一に多点発光しているように見える。つまり、配光制御部材３の配光制御部３ｂを透過せしめられた光Ｌｂが、配光制御部材３の素通し部３ａを透過せしめられた光Ｌａとは異なる光り方をする。
【００５２】
すなわち、第６の実施形態の照明装置１００によれば、照明装置１００の照射方向（ランプ部１０の照射方向、図９（Ａ）および図９（Ｂ）の上側）から投影レンズ２を見た時に均一に面発光しているように見える部分と、その部分とは異なる光り方をする部分とを形成することができる。
【００５３】
詳細には、第６の実施形態の照明装置１００によれば、配光制御部材３が投影レンズ２を隔てて光源１の反対側に配置されている特開２００６−１１４３４７号公報の図１２に記載された照明装置よりも照明装置１００の前後方向（照射方向）寸法を小型化しつつ、照明装置１００の照射方向（ランプ部１０の照射方向、図９（Ａ）および図９（Ｂ）の上側）から投影レンズ２を見た時に均一に面発光しているように見える部分と、その部分とは異なる光り方をする部分とを形成することができる。
【００５４】
また、第６の実施形態の照明装置１００では、図８に示すように、配光制御部３ｂが凸レンズ部によって構成され、凸レンズ部の焦点Ｆ３ｂが、投影レンズ２の焦点Ｆ２よりも前側（図８の上側）に配置されている。
【００５５】
そのため、第６の実施形態の照明装置１００では、照明装置１００の照射方向（ランプ部１０の照射方向、図９（Ａ）および図９（Ｂ）の上側）から投影レンズ２を見た時に、配光制御部材３の素通し部３ａの領域においては照明装置１００の後側（図９（Ａ）の下側）の位置が発光しているように見え、配光制御部材３の配光制御部３ｂの領域においては照明装置１００の前側（図９（Ｂ）の上側）の位置が発光しているように見える。
【００５６】
つまり、第６の実施形態の照明装置１００によれば、照明装置１００の照射方向（ランプ部１０の照射方向、図９（Ａ）および図９（Ｂ）の上側）から投影レンズ２を見た時に、配光制御部材３の素通し部３ａの領域においては照明装置１００の後側（図９（Ａ）の下側）の位置が発光しているように見せることができ、配光制御部材３の配光制御部３ｂの領域においては照明装置１００の前側（図９（Ｂ）の上側）の位置が発光しているように見せることができる。
【００５７】
すなわち、第６の実施形態の照明装置１００によれば、照明装置１００の照射方向（ランプ部１０の照射方向、図９（Ａ）および図９（Ｂ）の上側）から投影レンズ２を見た時に、配光制御部材３の全面が均一に構成されている特開２００６−１１４３４７号公報の図１２に記載された照明装置よりも、照明装置１００の奥行き感を感じさせることができる。
【００５８】
以下、本発明の照明装置の第７の実施形態について説明する。第７の実施形態の照明装置１００は、後述する点を除き、上述した第６の実施形態の照明装置１００とほぼ同様に構成されている。従って、第７の実施形態の照明装置１００によれば、後述する点を除き、上述した第６の実施形態の照明装置１００とほぼ同様の効果を奏することができる。
【００５９】
図１０は第７の実施形態の照明装置１００のランプ部１０の断面図である。第６の実施形態の照明装置１００では、図８に示すように、焦点Ｆ３ｂを有する凸レンズ部によって配光制御部３ｂが構成されているが、第７の実施形態の照明装置では、焦点を有さないレンズカット部によって配光制御部３ｂが構成されている。そのため、第７の実施形態の照明装置１００によれば、配光制御部３ｂに焦点Ｆ３ｂが設けられている第６の実施形態の照明装置１００よりも、照明装置１００の照射方向（ランプ部１０の照射方向、図１０の上側）から投影レンズ２を見た時における配光制御部材３の素通し部３ａを透過せしめられた光Ｌａの光り方と、配光制御部材３の配光制御部３ｂを透過せしめられた光Ｌｂの光り方との違いを大きくすることができる。
【００６０】
第８の実施形態では、上述した第１から第７の実施形態を適宜組み合わせることも可能である。
【産業上の利用可能性】
【００６１】
本発明の照明装置は、例えば一般照明灯具、遊技機器照明灯具、車両用灯具などのような照明装置に適用可能である。
【図面の簡単な説明】
【００６２】
【図１】第１の実施形態の照明装置１００の正面図である。
【図２】第１の実施形態の照明装置１００を左前側かつ下側から見た斜視図である。
【図３】図１のＡ−Ａ線に沿った断面図である。
【図４】図３に示した投影レンズ２の斜視図である。
【図５】図３に示した配光制御部材３の斜視図である。
【図６】図３に示す断面内における光路を示した図である。
【図７】第５の実施形態の照明装置１００のランプ部１０の断面図である。
【図８】第６の実施形態の照明装置１００のランプ部１０の断面図である。
【図９】図８に示す断面内における光路を示した図である。
【図１０】第７の実施形態の照明装置１００のランプ部１０の断面図である。
【符号の説明】
【００６３】
１                                      光源
２                                      投影レンズ
３                                      配光制御部材
３ａ                                    素通し部
３ｂ                                    配光制御部
４                                      擬似発光部材
１０                                    ランプ部
１００                                  照明装置
【図１】
2009193738.tif 000003
【図２】
2009193738.tif 000004
【図３】
2009193738.tif 000005
【図４】
2009193738.tif 000006
【図５】
2009193738.tif 000007
【図６】
2009193738.tif 000008
【図７】
2009193738.tif 000009
【図８】
2009193738.tif 000010
【図９】
2009193738.tif 000011
【図１０】
2009193738.tif 000012